(57)【特許請求の範囲】
【請求項１】
木目模様が印刷された化粧紙からなる化粧層を表面に有し、
前記化粧層の内層側に、全光線透過率３０〜９０％の半透明層と、全光線透過率３０％未満の有色層とを複数積層して、周面に木質積層模様を発現させた、木質調化粧板。
【請求項２】
前記半透明層は、灰分３重量％以下の晒しクラフト紙を複数枚積層してなる、請求項１に記載の木質調化粧板。
【請求項３】
前記有色層は、化粧紙、未晒しクラフト紙、または灰分が３重量％を超える晒しクラフト紙を複数枚積層してなる、請求項１または請求項２に記載の木質調化粧板。
【発明の詳細な説明】
【技術分野】
【０００１】
本発明は、家具や壁面などの表面に配される化粧板に関し、特に木目模様を呈する木質化粧板に関する。
【背景技術】
【０００２】
従来から、テーブル、洗面台カウンター、壁などの家具や建材の天面ないし表面には、意匠性を向上するための化粧板が貼着されている。中でも、木材の風合いを呈し、温かみや柔らかい印象を与える木目調（木質模様）を有する化粧板も人気が高い。このような木質化粧板としては、例えば下記特許文献１や特許文献２がある。特許文献１や特許文献２では、挽材や合板などの基材（芯材）の表面に、木質薄板からなる化粧板が接着剤を介して貼着されている。
【先行技術文献】
【特許文献】
【０００３】
【特許文献１】特開２００５−４７１６４号公報
【特許文献２】特開２００５−１７８２５４号公報
【発明の概要】
【発明が解決しようとする課題】
【０００４】
しかしながら、特許文献１や特許文献２のように、従来では基材の表面に薄肉な化粧板を貼着していた。これでは、基材寸法に合わせて化粧板を裁断する作業や、貼着作業などが煩雑であった。さらに、例えばテーブルやキッチンカウンターの天板など、その周面も外部に露呈されるような場合は、基材の周面にも化粧板を貼着する必要があり、さらに手間を要する。
【０００５】
しかも、木質化粧板を使用する場合、基材の周面には年輪のような木質積層模様を有する化粧板を貼着する必要がある。すなわち、基材の表面に貼着する木目模様の化粧板と、年輪のような木質積層模様を有する、基材の周面に貼着するための化粧板との、二種類が必要となる。この場合、従来では、周面用の化粧板には、その表面に木質積層模様を印刷した化粧紙を積層するしかなかった。これでは、多種多様なバリエーションの木質積層模様を得るためには、予めそれに応じた化粧紙を多数種用意する必要があるという問題も有する。
【０００６】
そこで本発明は、上記課題を解決するものであって、周面に年輪のような木質積層模様を有し、且つ当該木質積層模様の多様な設計変更も容易な、基材に貼着する必要のない木質化粧板を提供することを目的とする。
【課題を解決するための手段】
【０００７】
そのための手段として、本発明の木質調化粧板は、木目模様が印刷された化粧紙からなる化粧層を表面に有し、該化粧層の内層側には、全光線透過率３０〜９０％の半透明層と、全光線透過率３０％未満の有色層とを複数積層して、周面に木質積層模様が発現している点に特徴を有する。なお、本発明において数値範囲を示す「○○〜××」とは、その上限及び下限を含む意味であり、正確に示せば「○○以上××以下」を意味する。
【０００８】
また、別形態の木質化粧板として、前記半透明層と有色層に加えて、さらに、前記半透明層または前記有色層のいずれか一方または双方の少なくとも一部の層を挟持するように、全光線透過率が３０％未満の界面強調層が設けられている木質調化粧板も提供される。
【０００９】
ここで、前記半透明層は、灰分３重量％以下の晒しクラフト紙を複数枚積層して構成することができる。
【００１０】
一方、前記有色層は、化粧紙、未晒しクラフト紙、または灰分が３重量％を超える晒しクラフト紙を、複数枚積層して構成することができる。
【００１１】
さらに、前記界面強調層も使用する場合は、化粧紙、未晒しクラフト紙、または灰分が３重量％を超える晒しクラフト紙一枚によって界面強調層とすることができる。
【００１２】
前記各層を構成する紙としては、それぞれバインダー樹脂が含浸された含浸紙を使用することができる。そして、前記各層は、熱圧成型により一体化することができる。
【発明の効果】
【００１３】
本発明の木質化粧板によれば、表面には従来と同様に木目模様が印刷された化粧層を配しながら、半透明層と有色層、及び必要に応じて界面強調層を積層することで周面に木質積層模様を有するため、基材の表面に貼着するための化粧板と周面に貼着するための化粧板の二種類を用意する必要がない。そもそも、本発明の木質化粧板は表面に木目模様を有し、周面に木質積層模様を有するため、従来のような基材は不要であり、そのままテーブルや洗面台カウンターの天板などとして使用することができる。これにより、従来のような基材に化粧板を貼着するという手間を省くことができる。
【００１４】
また、本発明の木質化粧板では、半透明層、有色層、及び必要に応じて界面強調層を積層するだけで木質積層模様を発現でき、これらの層の厚み（構成枚数）、積層数、積層パターンなどを変更するだけで、多種多様な木質積層模様を容易に設計することができる。
【００１５】
なお、半透明層は全光線透過率が相対的に高い晒しクラフト紙からなるため、本来的には無色（白色）半透明であるが、その上下に全光線透過率が相対的に低い有色層を積層すると、半透明層に入射された入射光は有色層によって乱反射しながら進行していくことで、半透明層を透過した透過光、すなわち半透明層の色は有色層と同系色となって見えるようになる。このとき、界面強調層を使用しない場合は半透明層と有色層との界面が若干ぼやけ、全体的にも比較的ぼやけた印象の木質積層模様となるが、適所に界面強調層を使用することで、半透明層や有色層の存在がはっきりとし、メリハリのある木質積層模様とすることができる。
【図面の簡単な説明】
【００１６】
【図１】実施形態１の基本的構成を示す模式断面図である。
【図２】半透明層の作用原理を説明する要部拡大断面図である。
【図３】実施形態２の基本的構成を示す模式断面図である。
【図４】実施例１の概観写真である。
【図５】実施例２の概観写真である。
【図６】実施例３の概観写真である。
【図７】実施例４の概観写真である。
【図８】実施例５の概観写真である。
【図９】実施例６の概観写真である。
【図１０】実施例７の概観写真である。
【図１１】実施例８の概観写真である。
【発明を実施するための形態】
【００１７】
［実施形態１］
まず、界面強調層を使用しない構成の基本的な実施形態について説明する。図１に示すように、本実施形態１の木質化粧板１０は、木目模様が印刷された化粧層１１と、半透明層１２と、有色層１３とによって構成されており、化粧層１１を表面に配した上で、その内層側に半透明層１２と有色層１３とを複数積層することで、周面に年輪のような木質積層模様を呈する。
【００１８】
（化粧層）
化粧層１１は、木目模様が印刷された化粧紙からなる。当該化粧紙は基本的に１枚でよいが、複数枚の化粧紙を積層して化粧層１１とすることもできる。その場合、少なくとも最表面の化粧紙のみに木目模様を印刷していればよい。化粧層１１は、少なくとも木質化粧板１０を家具などに設置した際の外面に相当するおもて表面に配しておけばよいが、必要に応じて裏表面に配すことも好ましい。印刷する木目模様としては、木材を連想する模様であれば特に限定されず、多種多様な模様を任意に印刷していればよい。なお、化粧層１１の表面（外面）には、メラミン樹脂やアクリル樹脂などからなるオーバーレイ層（表面保護層）を積層しておくことも好ましい。
【００１９】
（半透明層）
半透明層１２は、全光線透過率が相対的に高いことで、半透明となっている層である。半透明層１２の全光線透過率はできるだけ高いことが好ましく、具体的には少なくとも３０％以上、好ましくは４０％以上、より好ましくは５０％以上とする。半透明層１２の全光線透過率が３０％未満では、入射された光が半透明層１２の内部に進入し難く、有色層１３と同系色のように見え難くなる（詳細な原理は後述する）。全光線透過率の上限は９０％以下であればよい。全光線透過率が９０％を超えても上記作用効果は得られるが、全光線透過率を９０％より大きくするには製造コストが嵩む。
【００２０】
半透明層１２は、晒しクラフト紙を複数枚積層して構成される。晒しクラフト紙の積層枚数は二枚以上であれば特に限定されず、求める半透明層１２の厚みに応じて適宜増減すればよい。すなわち、半透明層１２の厚みは、晒しクラフト紙の積層枚数によって調整できる。
【００２１】
半透明層１２用の晒しクラフト紙には、灰分が少なくとも３重量％以下、好ましくは２重量％以下、より好ましくは１重量％以下の晒しクラフト紙を使用する。晒しクラフト紙の灰分が３重量％を超えると、全光線透過率が低くなって求められる上記作用効果が得られ難くなくなってしまう。なお、半透明層１２は、有色半透明でも無色（白色）半透明でもよいが、無色半透明であることが好ましい。無色半透明であれば、有色層１３と同系色となって見える効果が得られ易く、汎用性が高いからである。
【００２２】
（有色層）
有色層１３は、木質積層模様を主体的に構成する層である。したがって、有色層１３の全光線透過率はできるだけ低いことが好ましく、具体的には少なくとも３０％未満、好ましくは２０％以下、より好ましくは１５％以下とする。有色層１３の全光線透過率が３０％以上となると、半透明に近い状態となり、有色層１３の色をはっきり認識し難くなるばかりか、半透明層１２との違いも小さくなって、木質積層模様が薄れてしまう。
【００２３】
有色層１３の色としては、最終的に木材を連想させ得る色であれば全般的に使用でき、薄茶やこげ茶などの茶系色のみならず、クリーム色、薄黄色、黒褐色、白色なども使用可能である。当該有色層１３としては、化粧紙、未晒しクラフト紙、及び／又は晒しクラフト紙を使用できる。化粧紙であれば、そのままでも使用できるが、必要に応じて所定の色を印刷したり顔料を抄き込んでおく。但し、木目模様を印刷する必要はない。一方、未晒しクラフト紙は茶系色であり、晒しクラフト紙は白色系である。但し、有色層１３用の晒しクラフト紙には、灰分が少なくとも３重量％を超えるもの、好ましくは５重量％以上、より好ましくは７重量％以上のものを使用する。有色層１３用の晒しクラフト紙の灰分が３重量％以下では、半透明に近い状態となって有色層１３としては成立し難いからである。
【００２４】
（未晒し）クラフト紙は木材パルプを抄造することで得られる。一旦抄造した紙を叩解したのち、再度抄造した再生クラフト紙を使用することもできる。再生クラフト紙の原料としては、新聞、古紙、封筒などを使用できる。晒しクラフト紙は、未晒しクラフト紙を漂白したものである。
【００２５】
化粧紙、未晒しクラフト紙、灰分３重量％以下の晒しクラフト紙の積層枚数は特に限定されず、一枚〜複数枚を求める有色層１３の厚みに応じて適宜増減すればよい。すなわち、有色層１３の厚みは、これらの紙の積層枚数によって調整できる。なお、前記紙を複数枚積層して１つの有色層とすれば、その存在を目立たせ易い。１つの有色層１３は、基本的には化粧紙、未晒しクラフト紙、又は灰分３重量％以下の晒しクラフト紙のみによって構成することが好ましいが、１つの有色層１３内にこれらの各紙を混用することもできる。
【００２６】
（木質積層模様）
木質化粧板１０周面の木質積層模様は、半透明層１２と有色層１３とを適宜組み合わせることよって、多種多様な模様を容易に設計できる。具体的には、半透明層１２や有色層１３の厚み、半透明層１２と有色層１３との積層パターンや積層数、使用する有色層１３の色などを適宜変更すればよい。各有色層１３の色は全て同一でも良いし、それぞれ異なっていてもよい。なお、図１に示す積層模様は、多様な模様のうちのほんの一例である。
【００２７】
半透明層１２と有色層１３とを積層すると、半透明層１２は有色層１３と同系色となって見える。その原理を、図２を用いて説明する。木質化粧板１０に外部から光が当たると、全光線透過率が高いことで半透明な半透明層１２内に光は進入可能であるが、全光線透過率が低く不透明な有色層１３内には進入できず反射される。このとき、半透明層１２に入射された入射光Ｌ１は、半透明層１２の内部において上下の有色層１３で反射され、乱反射を繰り返しながら進行していく。これにより、半透明層１２を透過した透過光Ｌ２が有色層１３と同系色のようになり、半透明層１２の色が有色層１３と同系色となって見えることになる。このように、わざわざ半透明層１２を使用することで、有色層１３のみでは形成することのできない独特な印象の木質積層模様を形成することができる。なお、本実施形態１の木質化粧板１０は、周面に木質積層模様を有するため、従来のような基材（芯材）や周面用の化粧板は不要である。
【００２８】
（木質化粧板の製造方法）
木質化粧板１０は、メラミン樹脂やフェノール樹脂などの熱硬化性樹脂、またはアクリル樹脂などの熱可塑性樹脂をバインダー樹脂として熱圧成形することで、化粧層１１、半透明層１２、及び有色層１３をそれぞれ互いに一体化させることで得られる。このとき、バインダー樹脂は、各層を構成する紙を重ね合わせる際に当該各紙の表面に塗布してもよいし、各紙を重ね合わせた積層体をバインダー樹脂へ浸漬することもできるが、好ましくは、各層を構成する紙のそれぞれに、予めバインダー樹脂を含浸させておく。すなわち、各層を構成する紙としては、それぞれ予めバインダー樹脂が含浸された含浸紙を使用することが好ましい。この場合、各含浸紙を所定パターンで積層するだけで、そのまま熱圧成形することができる。
【００２９】
［実施形態２］
図３に、本発明の実施形態２を示す。本実施形態２の木質化粧板２０も、木目模様が印刷された化粧紙からなる化粧層２１を表面に有し、当該化粧層２１の内層側に、半透明層２２と有色層２３とを複数積層している基本的構成は、先の実施形態１と同様であり、これら化粧層２１、半透明層２２、有色層２３については、実施形態１の化粧層１１、半透明層１２、有色層１３とそれぞれ同様なので、その説明を省略する。一方、実施形態１と異なる点として、本実施形態２の木質化粧板２０では、さらに界面強調層２４を適所に積層している点に大きな特徴を有する。具体的には、複数ある半透明層１２及び有色層１３のうち少なくともいずれか一層を上下から挟持するように、界面強調層２４が配されている。
【００３０】
（界面強調層）
界面強調層２４は、一枚の、化粧紙、未晒しクラフト紙、または灰分が３重量％を超える晒しクラフト紙によって構成される。当該化粧紙、未晒しクラフト紙、灰分３重量％超の晒しクラフト紙については、先の実施形態１と同様である。
【００３１】
界面強調層２４は、複数ある半透明層２２及び／又は有色層２３のうち、少なくとも１つの層、一部の複数層、または全ての各層を挟持するように、半透明層２２及び／又は有色層２３の上下に積層する。半透明層２２及び／又は有色層２３の片面のみに配した場合は有色層である。なお、図３に示す積層模様は、多様な模様のうちのほんの一例である。
【００３２】
界面強調層２４も、全光線透過率はできるだけ低いことが好ましく、具体的には少なくとも３０％未満、好ましくは２０％以下、より好ましくは１５％以下とする。有色層１３の全光線透過率が３０％以上となると、当該界面強調層２４の光透過量が多くなってしまい、これによる作用効果が得られ難くなる。
【００３３】
界面強調層２４を木質化粧板２０の適所に積層すると、その部分での半透明層２２と有色層２３との界面がくっきりする。これにより、実施形態１とは異なる印象の木質積層模様を発現することができる。なお、界面強調層２４は一枚の紙によって構成されるので、基本的には木質積層模様全体でみるとその存在は視認し難いが、他の層との相対的な色合いによっては、界面強調層２４をはっきり視認できることもある。この場合、界面強調層２４も木質積層模様の一部を構成しており、その意味において有色層２３を兼ねることもできる。
【００３４】
［木質化粧板の適用例］
本発明の木質化粧板は、従来のような基材（芯材）は不要であり、そのままテーブル、洗面台カウンター、及びキッチンカウンターなどの天板として適用可能であり、また、壁面や扉などの建材の表面に配すことができる。
【実施例】
【００３５】
以下に、本発明の具体的な実施例について説明するが、これに限られることはなく、本発明の要旨を逸脱しない範囲で、種々の変更が可能である。
【００３６】
半透明層、有色層、界面強調層として、それぞれ表１〜４に示す紙を使用し、各層を表１〜４に示すパターンで積層した。なお、各層用の紙は、それぞれ予めバインダー樹脂としてメラミン樹脂を含浸させた含浸紙としている。化粧層には、一枚のメラミン樹脂含有化粧紙を使用し、各木質化粧板の表裏両面に配した。さらに、表裏両表面の化粧層は、メラミン樹脂からなるオーバーレイ層によって被覆した。なお、表１〜４には、化粧層の内層側の積層パターンのみ示している。すなわち、表１〜４には化粧層は記載していない。各木質化粧板は、各層を所定のパターンで積層した積層体を、プレス面の温度１４５℃、プレス面の圧力８Ｍｐａ、熱圧時間６０分間にて板状に熱圧成形した。また、得られた各木質化粧板の外観写真を図４〜１１に示す。なお、実施例１と実施例２、実施例３と実施例４、実施例５と実施例６、及び実施例７と実施例８とは、それぞれ基本的積層パターンが共通しており、互いに対応する木質積層模様を有する。
【００３７】
【表１】
0005882269.tif 000002
【００３８】
【表２】
0005882269.tif 000003
【００３９】
【表３】
0005882269.tif 000004
【００４０】
【表４】
0005882269.tif 000005
【００４１】
図４〜１１の結果から明らかなように、半透明層と有色層とを複数積層することで、木質化粧板の周面に木質積層模様を発現させることができた。また、所定箇所に界面強調層も積層することで、各層の界面がはっきりし、シャープな印象の木質積層模様となることが確認された。
【符号の説明】
【００４２】
１０・２０  木質化粧板
１１・２１  化粧層
１２・２２  半透明層
１３・２３  有色層
２４  界面強調層
【図１】
0005882269.tif 000006
【図２】
0005882269.tif 000007
【図３】
0005882269.tif 000008
【図４】
0005882269.tif 000009
【図５】
0005882269.tif 000010
【図６】
0005882269.tif 000011
【図７】
0005882269.tif 000012
【図８】
0005882269.tif 000013
【図９】
0005882269.tif 000014
【図１０】
0005882269.tif 000015
【図１１】
0005882269.tif 000016